(57)【要約】【課題】簡素化が可能な撮像装置を提供すること。【解決手段】対象を撮像し画像情報を出力する撮像部と、動画撮影期間において前記画像情報を動画として画像処理する第１画像処理部と、前記動画撮影期間中に静止画を撮像するためのトリガ情報が入力された場合、前記第１画像処理部の画像処理と並列に、前記画像情報を静止画として画像処理する第２画像処理部と、を具備する撮像装置。【選択図】図１
2010199927.tif 000002
【特許請求の範囲】
【請求項１】
対象を撮像し画像情報を出力する撮像部と、
動画撮影期間において前記画像情報を動画として画像処理する第１画像処理部と、
前記動画撮影期間中に静止画を撮像するためのトリガ情報が入力された場合、前記第１画像処理部の画像処理と並列に、前記画像情報を静止画として画像処理する第２画像処理部と、
を具備することを特徴とする撮像装置。
【請求項２】
前記第２画像処理部が画像処理する画像情報は、前記第１画像処理部が画像処理する画像情報より画素数が多いことを特徴とする請求項１記載の撮像装置。
【請求項３】
前記撮像部は、同じ画素数を有する画像情報を前記第１画像処理部と前記第２画像処理部とに出力し、
前記第１画像処理部は、前記撮像部が出力した画像情報を縮小し画像処理し、
前記第２画像処理部は、前記撮像部が出力した画像情報を縮小せず画像処理することを特徴とする請求項１記載の撮像装置。
【請求項４】
前記撮像部は、前記トリガ情報が入力された場合、前記トリガ情報が入力される前に出力する画像情報より画素数の多い画像情報を出力し、
第１画像処理部は、前記トリガ情報が入力する前の前記画像情報を縮小せず画像処理し、前記画素数の多い画像情報を縮小し画像処理し、
前記第２画像処理部は、前記画素数の多い画像情報を縮小せず画像処理することを特徴とする請求項１記載の撮像装置。
【請求項５】
前記第１画像処理部が前記画像情報を画像処理して生成した動画情報と、前記第２画像処理部が前記画像情報を画像処理して生成した静止画情報と、を記憶する記憶媒体を装着可能な装着部を具備することを特徴とする請求項１から４のいずれか一項記載の撮像装置。
【請求項６】
前記第２画像処理部は前記静止画情報を前記第１画像処理部に出力し、
前記第１画像処理部は、前記静止画情報および前記動画情報を前記記憶媒体に出力することを特徴とする請求項５記載の撮像装置。
【請求項７】
前記記憶媒体には、前記動画情報が複数の期間に分離し記憶され、前記静止画情報が前記複数の期間の間に分離して記憶されることを特徴とする請求項５または６記載の撮像装置。
【請求項８】
前記記憶媒体には、前記動画情報の記憶が終了した後、前記静止画情報が記憶されること特徴とする請求項５または６記載の撮像装置。
【請求項９】
前記第１画像処理部が前記画像情報を画像処理して生成した動画情報を記憶する第１記憶媒体を装着可能な第１装着部と、
前記第２画像処理部が前記画像情報を画像処理して生成した静止画情報を記憶する第２記憶媒体を装着可能な第２装着部と、
を具備することを特徴とする請求項１から４のいずれか一項記載の撮像装置。
【請求項１０】
前記第２画像処理部は、前記画像情報を画像処理して静止画情報を生成し、かつ前記静止画情報より画素数が少なく表示部に静止画を表示するための別の静止画情報を生成することを特徴とする請求項１から９のいずれか一項記載の撮像装置。
【請求項１１】
前記第２画像処理部は前記別の静止画情報を前記第１画像処理部に出力し、
前記第１画像処理部は、前記画像情報を画像処理して生成した動画情報および前記別の静止画情報を前記表示部に出力し、
前記表示部は、前記画像情報に応じた動画および前記静止画を表示することを特徴とする請求項１０記載の撮像装置。
【請求項１２】
前記第２画像処理部は、前記トリガ情報が入力された場合に起動することを特徴とする請求項１から１１のいずれか一項記載の撮像装置。
【発明の詳細な説明】
【技術分野】
【０００１】
本発明は、撮像装置に関し、特に、画像処理部を有する撮像装置に関する。
【背景技術】
【０００２】
近年、静止画と動画とを撮影可能な撮像装置が用いられている。このような、撮像装置においては、動画の撮影中に静止画を撮影する。特許文献１には、動画の撮影中に静止画を撮影するため、静止画撮影部および動画撮影部が各々光学系、撮像素子および画像処理する回路を有する撮像装置が記載されている。
【先行技術文献】
【特許文献】
【０００３】
【特許文献１】特開２００５−９４４６５号公報
【発明の概要】
【発明が解決しようとする課題】
【０００４】
しかしながら、特許文献１の撮像装置においては、光学系および撮像素子が、静止画用と動画用の２つ設けられている。よって、撮像装置が複雑になる。本発明は、上記課題に鑑みなされたものであり、簡素な撮像装置を提供することを目的とする。
【課題を解決するための手段】
【０００５】
本撮像装置は、対象を撮像し画像情報を出力する撮像部（５０）と、動画撮影期間において前記画像情報を動画として画像処理する第１画像処理部（１０）と、前記動画撮影期間中に静止画を撮像するためのトリガ情報が入力された場合、前記第１画像処理部の画像処理と並列に、前記画像情報を静止画として画像処理する第２画像処理部（２０）と、を具備する。
【０００６】
上記構成において、前記第２画像処理部が画像処理する画像情報は、前記第１画像処理部が画像処理する画像情報より画素数が多い構成とすることができる。
【０００７】
上記構成において、前記撮像部は、同じ画素数を有する画像情報を前記第１画像処理部と前記第２画像処理部とに出力し、前記第１画像処理部は、前記撮像部が出力した画像情報を縮小し画像処理し、前記第２画像処理部は、前記撮像部が出力した画像情報を縮小せず画像処理する構成とすることができる。
【０００８】
上記構成において、前記撮像部は、前記トリガ情報が入力された場合、前記トリガ情報が入力される前に出力する画像情報より画素数の多い画像情報を出力し、第１画像処理部は、前記トリガ情報が入力する前の前記画像情報を縮小せず画像処理し、前記画素数の多い画像情報を縮小し画像処理し、前記第２画像処理部は、前記画素数の多い画像情報を縮小せず画像処理する構成とすることができる。
【０００９】
上記構成において、前記第１画像処理部が前記画像情報を画像処理して生成した動画情報と、前記第２画像処理部が前記画像情報を画像処理して生成した静止画情報と、を記憶する記憶媒体（３２）を装着可能な装着部（３０）を具備する構成とすることができる。
【００１０】
上記構成において、前記第２画像処理部は前記静止画情報を前記第１画像処理部に出力し、前記第１画像処理部は、前記静止画情報および前記動画情報を前記記憶媒体に出力する構成とすることができる。
【００１１】
上記構成において、前記記憶媒体には、前記動画情報が複数の期間に分離し記憶され、前記静止画情報が前記複数の期間の間に分離して記憶される構成とすることができる。
【００１２】
上記構成において、前記記憶媒体には、前記動画情報の記憶が終了した後、前記静止画情報が記憶される構成とすることができる。
【００１３】
上記構成において、前記第１画像処理部が前記画像情報を画像処理して生成した動画情報を記憶する第１記憶媒体（３２）を装着可能な第１装着部（３０）と、前記第２画像処理部が前記画像情報を画像処理して生成した静止画情報を記憶する第２記憶媒体（３６）を装着可能な第２装着部（３４）と、を具備する構成とすることができる。
【００１４】
上記構成において、前記第２画像処理部は、前記画像情報を画像処理して静止画情報を生成し、かつ前記静止画情報より画素数が少なく表示部（４０）に静止画を表示するための別の静止画情報を生成する構成とすることができる。
【００１５】
上記構成において、前記第２画像処理部は前記別の静止画情報を前記第１画像処理部に出力し、前記第１画像処理部は、前記画像情報を画像処理して生成した動画情報および前記別の静止画情報を前記表示部に出力し、前記表示部は、前記画像情報に応じた動画および前記静止画を表示する構成とすることができる。
【００１６】
上記構成において、前記第２画像処理部は、前記トリガ情報が入力された場合に起動する構成とすることができる。
【発明の効果】
【００１７】
本撮像装置によれば、撮像部を動画用と静止画用とで共用することができ、撮像装置の簡素化が可能となる。
【図面の簡単な説明】
【００１８】
【図１】図１は、実施例１の撮像装置のブロック図である。
【図２】図２は、第１画像処理部の機能ブロック図である。
【図３】図３は、第２画像処理部の機能ブロック図である。
【図４】図４は、撮像装置の各部の動作を示す図である。
【図５】図５は、第１画像処理部の処理を示すフローチャートである。
【図６】図６は、第２画像処理部の処理を示すフローチャートである。
【図７】図７は、実施例２の撮像装置の各部の動作を示す図である。
【図８】図８は、実施例２の撮像部の動作を示すフローチャートである。
【図９】図９は、実施例２の第１画像処理部の処理を示すフローチャートである。
【図１０】図１０は、実施例３の撮像装置の各部の動作を示す図である。
【図１１】図１１は、実施例４の撮像装置のブロック図である。
【図１２】図１２は、実施例４の撮像装置の各部の動作を示す図である。
【図１３】図１３は、実施例５の撮像装置のブロック図である。
【図１４】図１４は、実施例５の撮像装置の各部の動作を示す図である。
【発明を実施するための形態】
【００１９】
以下、図面を参照して本発明の実施例を説明する。
【実施例１】
【００２０】
実施例１は、撮像部が静止画で用いるサイズの画像情報を出力し、画像処理部が画像情報を動画で用いるサイズにリサイズし画像処理する例である。図１は、実施例１に係る撮像装置の概略ブロック図である。図１のように、撮像装置１００は、光学系６０、撮像部５０、並替部５２、第１画像処理部１０、第２画像処理部２０、メモリ４２および４４、装着部３０、表示部４０およびトリガ出力部５４を備えている。装着部３０には記憶媒体３２が脱着可能である。撮像部５０は、例えばＣＭＯＳ（Complimentary Metal Oxide Semiconductor）イメージセンサまたはＣＣＤ（Charge Coupled Device）イメージセンサである。撮像部５０は、光学系６０を介した被写体からの光を撮像し、画像情報に変換する。すなわち、撮影対象である被写体を撮像し画像情報を出力する。例えば、約３０００×４０００画素の画像情報を出力することができる。並替部５２は、撮像部５０が出力した画像情報を、以後の処理において画像処理し易いように並び替え、画像情報として出力する。
【００２１】
第１画像処理部１０は、並替部５２が出力した画像を主に動画として画像処理し、動画情報を生成する。第２画像処理部２０は、並替部５２が出力した画像を主に静止画として画像処理し静止画情報を生成する。第１画像処理部１０および第２画像処理部２０は、例えばそれぞれＡＳＩＣ（Application Specific Integrated Circuit）として形成されている。また、例えば第１画像処理部１０および第２画像処理部２０が１つのＡＳＩＣとして形成されていてもよい。さらに、第１画像処理部１０および第２画像処理部２０は、汎用の演算装置で実現されていてもよい。
【００２２】
メモリ４２および４４は、揮発性メモリ、例えばＤＲＡＭ（Dynamic Random Access Memory）であり、それぞれ第１画像処理部１０および第２画像処理部２０の画像処理中または画像処理後の画像情報、動画情報または静止画情報を記憶する。記憶媒体３２は、例えばＳＤ（Secure Digital）カード等の携帯可能な記憶媒体であり、第１画像処理部１０が生成した動画情報および第２画像処理部が生成した静止画情報を記憶する。装着部３０は、記憶媒体３２を装着可能であり、動画情報および静止画情報を記憶媒体３２に記憶可能な形式に変換し、変換した情報を記憶媒体３２に書き込む。表示部４０は、例えば液晶パネルであり、動画情報に基づき動画を表示する。また、静止画を表示する。トリガ出力部５４は、動画撮影期間中に静止画を撮影するためのトリガ情報を出力する。トリガ出力部５４は、例えばユーザが押下するシャッタボタンである。
【００２３】
図２は、第１画像処理部１０の機能ブロック図である。第１画像処理部１０は、ＲＡＷ部１１、ホワイトバランス（ＷＢ）部１２、補間部１３、色空間変換部１４、γ変換部１５、色補正部１６、ＹＣＣ部１７、圧縮部１８および縮小部１９を備えている。ＲＡＷ部１１は、並替部５２が出力した画像情報をＲＡＷ画像情報に変換する。ＷＢ部１２は、カラー画像情報に対しホワイトバランス処理を行なう。補間部１３は、ＲＡＷ画像情報を補間処理しＲＧＢ形式のカラー画像情報に変換する。色空間変換部１４は、画像情報を画像処理に適した色空間に変換する。γ変換部１５は、画像情報に対しγ変換を行なう。色補正部１６は、画像情報を色変換し、画像の再現性を適正にする。ＹＣＣ部１７は、ＲＧＢ形式のカラー画像情報をＹＣＣ（輝度色差）形式に変換する。圧縮部１８は、カラー画像情報を圧縮し動画情報とする。圧縮形式としては、例えばＭＰＥＧ（Moving Picture Experts Group）、ＭＪＰＥＧ(Motion Joint Photographic Experts Group)、Ｈ.２６４形式を用いることができる。圧縮部１８が出力した動画情報は、メモリ４２に記憶される。縮小部１９は、並替部５２が出力する画像情報の画素数に応じ、ＲＡＷ画像情報の画素数を縮小する。
【００２４】
図３は、第２画像処理部２０の機能ブロック図である。第２画像処理部２０は、ＲＡＷ部２１、ホワイトバランス（ＷＢ）部２２、補間部２３、色空間変換部２４、γ変換部２５、色補正部２６、ＹＣＣ部２７、圧縮部２８および縮小部２９を備えている。各部の機能は、静止画として画像処理することを除いては第１画像処理部１０の各部の機能とほぼ同じである。圧縮部２８は、ＹＣＣ形式の画像情報を例えばＪＰＥＧ形式に圧縮し静止画情報とする。また、縮小部２９は、ＹＣＣ形式の画像情報を表示部４０に表示するためのサムネール画像に縮小し、縮小画像情報とする。圧縮部２８が出力した静止画情報および縮小部２９が縮小した縮小静止画情報は、メモリ４４に記憶される。
【００２５】
次に、動画撮影期間中に静止画を撮影する際の動作を説明する。図４は、トリガ出力部５４、撮像部５０、並替部５２、第１画像処理部１０、第２画像処理部２０、記憶媒体３２および表示部４０の動作を時間に対し示す図である。実施例１では、撮像部５０は、画像情報として常に静止画で用いるサイズの画像情報を出力する。すなわち、例えば約３０００×４０００画素の画像情報を出力する。
【００２６】
図４を参照し、撮像部５０は動画撮影期間中は例えば１／３０秒周期または１／６０秒周期で撮像を行なう（ステップＳ６１）。撮像部５０は、動画撮影期間中常に静止画の画像サイズ（例えば３０００×４０００画素）の画像情報Ｄ１を出力する（ステップＳ６２）。撮像部５０は、高速周期でシャッタを切るため例えばローリングシャッタのような電子シャッタを用い撮像することが好ましい。並替部５２は、画像情報Ｄ１を並び替える（ステップＳ８４）。並替部５２は、第１画像処理部１０および第２画像処理部２０に画像情報Ｄ１を出力する（ステップＳ８５）。
【００２７】
第１画像処理部１０は、画像情報を動画で用いるサイズに縮小する（ステップＳ１２）。例えば、１０８０×１９６０画素の画像情報にリサイズする。次に、第１画像処理部１０は、図２で説明したように画像情報を動画として画像処理し動画情報を生成する（ステップＳ１４）。次に、第１画像処理部１０は、動画情報を装着部３０を介し記憶媒体３２に出力する（ステップＳ１６）。図４のように、動画情報の記憶媒体３２への出力（ステップＳ１６）は動画処理（ステップＳ１４）と並列に行なってもよい。記憶媒体３２には、第１画像処理部１０が出力した動画情報が記憶される（ステップＳ８８）。次に、第１画像処理部１０は、動画情報を表示部４０に出力する（ステップＳ１７）。動画情報の表示部４０への出力（ステップＳ１７）は動画処理（ステップＳ１４）と並列に行なってもよい。表示部４０は、第１画像処理部１０が出力した動画情報に応じた動画を表示する（ステップＳ９１）。
【００２８】
トリガ出力部５４がトリガ情報を出力すると（ステップＳ８０）、第２画像処理部２０が起動する（ステップＳ３２）。例えば、第２画像処理部２０の電源がオンする。例えば第２画像処理部２０の一部は常に起動しており、第２画像処理部２０の一部が第２画像処理部２０の他の領域を活性化してもよい。さらに、第１画像処理部１０にトリガ情報が入力し、第１画像処理部１０が第２画像処理部２０を起動させてもよい。トリガ情報が入力した後に画像情報が入力すると、第２画像処理部２０は、図３で説明したように画像情報を静止画として画像処理し静止画情報を生成する（ステップＳ３６）。このとき、第２画像処理部２０は、静止画情報とともに縮小画像情報（別の静止画情報）を生成する。
【００２９】
第２画像処理部２０は、縮小静止画情報を第１画像処理部１０に出力する（ステップＳ３８）。第１画像処理部１０は、第２画像処理部２０から取得した縮小静止画情報を表示部４０に出力する（ステップＳ２０）。表示部４０は、動画とともに縮小静止画情報に応じた静止画を表示する（ステップＳ９２）。一定期間経過後、表示部４０は静止画を表示せず動画だけを表示する（ステップＳ９１）。
【００３０】
第２画像処理部２０は、静止画情報を第１画像処理部１０に出力する（ステップＳ４０）。第１画像処理部１０は、第２画像処理部２０から取得した静止画情報を記憶媒体３２に出力する（ステップＳ２４）。記憶媒体３２には、静止画情報が記憶される（ステップＳ９０）。記憶媒体３２に次の動画情報が記憶されるまでの間に、静止画情報が記憶されきれない場合、第１画像処理部１０は、残りの静止画情報をメモリ４２に記憶させる。
第１画像処理部１０は、次の画像情報の画像処理（ステップＳ１４）後にメモリ４２から残りの静止画情報を取得する（ステップＳ８６）。第１画像処理部１０は、残りの静止画情報を記憶媒体３２に出力する（ステップＳ８７）。記憶媒体３２には、残りの静止画情報が記憶される（ステップＳ９０）。
【００３１】
図５は、第１画像処理部１０の処理を示すフローチャートである。動画撮影が開始されると（すなわち動画撮影期間において）、第１画像処理部１０は図５のフローを繰り返し行なう。図５のように、第１画像処理部１０は、画像情報Ｄ１が入力したか判断する（ステップＳ１０）。Ｎｏの場合、ステップＳ１０に戻る。Ｙｅｓの場合、第１画像処理部１０は、画像情報を動画で用いるサイズに縮小する（ステップＳ１２）。次に、第１画像処理部１０は、図２で説明したように画像情報を動画として画像処理し動画情報を生成する（ステップＳ１４）。次に、第１画像処理部１０は、動画情報を装着部３０を介し記憶媒体３２に出力する（ステップＳ１６）。次に、第１画像処理部１０は、動画情報を表示部４０に出力する（ステップＳ１７）。
【００３２】
次に、第１画像処理部１０は、縮小静止画情報が入力したか判断する（ステップＳ１８）。Ｎｏの場合、ステップＳ２２に進む。Ｙｅｓの場合、第１画像処理部１０は、第２画像処理部２０から取得した縮小静止画情報を表示部４０に出力する（ステップＳ２０）。次に、第１画像処理部１０は、静止画情報が入力したか判断する（ステップＳ２２）。Ｎｏの場合、終了しステップＳ１０に戻る。Ｙｅｓの場合、第１画像処理部１０は、第２画像処理部２０から取得した静止画情報を記憶媒体３２に出力する（ステップＳ２４）。
【００３３】
図６は、第２画像処理部２０の処理を示すフローチャートである。動画撮影が開始されると、第２画像処理部２０は図６のフローを繰り返し行なう。図６のように、第２画像処理部２０は、トリガ情報が入力したか判断する（ステップＳ３０）。Ｎｏの場合、ステップＳ３０に戻る。Ｙｅｓの場合、第２画像処理部２０が起動する（ステップＳ３２）。次に、第２画像処理部２０は、画像情報Ｄ１が入力したか判断する（ステップＳ３４）。Ｎｏの場合、ステップＳ３４に戻る。Ｙｅｓの場合、第２画像処理部２０は、画像情報を静止画として画像処理し静止画情報を生成する（ステップＳ３６）。このとき、第２画像処理部２０は、静止画情報とともに縮小画像情報を生成する。
【００３４】
第２画像処理部２０は、縮小静止画情報を第１画像処理部１０に出力する（ステップＳ３８）。次に、第２画像処理部２０は、静止画情報を第１画像処理部１０に出力する（ステップＳ４０）。第２画像処理部２０をシャットダウンする（ステップＳ４２）。例えば、第２画像処理部２０の電源がオフする。例えば第２画像処理部２０の一部は常に起動しており、第２画像処理部２０の一部が第２画像処理部２０の他の領域を非活性化してもよい。また、第１画像処理部１０が第２画像処理部２０をシャットダウンしてもよい。
【００３５】
実施例１によれば、図４のステップＳ３６のように、第２画像処理部２０は、動画撮影期間中にトリガ情報が入力された場合、第１画像処理部１０が動画の画像処理と並列に、静止画の画像処理を行なうことができる。動画処理と静止画処理とを並列して行なうことにより、動画撮影を中断し静止画の撮影することなく、高速な画像処理が可能となる。また、光学系６０および撮像部５０を動画用と静止画用で共用することができ、撮像装置の簡素化が可能となる。
【００３６】
さらに図４のステップＳ６２のように、撮像部５０は、同じ画素数を有する画像情報を第１画像処理部１０と第２画像処理部２０とに出力する。ステップＳ１２およびＳ１４のように、第１画像処理部１０は、撮像部５０が出力した画像情報を縮小し画像処理する。一方、ステップＳ３６のように、第２画像処理部２０は、撮像部５０が出力した画像情報を縮小せず画像処理する。これにより、動画の画像の画素数が静止画の画像の画素数より小さい場合も撮像部５０の静止画と動画との共用が可能となる。
【００３７】
さらに、図４のステップＳ８８およびＳ９０のように、記憶媒体３２には、第１画像処理部１０が生成した動画情報と、第２画像処理部２０が生成した静止画情報と、が記憶される。これにより、１つの記憶媒体３２に静止画と動画との両方を記憶させることができる。
【００３８】
さらに図４のステップＳ４０のように、第２画像処理部２０は静止画情報を第１画像処理部１０に出力する。図４のステップＳ１６およびＳ２４のように、第１画像処理部１０は、静止画情報および動画情報を記憶媒体３２に出力する。このように、動画情報を周期的に記憶媒体３２に出力している第１画像処理部１０に、一旦静止画情報を集約し、第１画像処理部１０が動画情報と静止画情報との記憶媒体３２への記憶を制御する。これにより、記憶媒体３２への動画情報と静止画情報との記憶を効率的に行なうことができる。なお、第１画像処理部１０が第２画像処理部２０に動画情報を出力し、第２画像処理部２０が動画情報および静止画情報を記憶媒体３２に出力してもよい。
【００３９】
さらに、図４のステップＳ８８のように、記憶媒体３２には、動画情報が複数の期間に分離し記憶され、ステップＳ９０のように静止画情報が複数の期間の間に分離して記憶される。これにより、静止画情報のサイズが大きい場合であっても、記憶媒体３２に動画情報と静止画情報とを効率的に記憶させることができる。
【００４０】
さらに、図４のステップＳ３６のように、第２画像処理部２０は、画像情報を画像処理して静止画情報を生成し、かつ静止画情報より画素数が少なく表示部４０に静止画を表示するための縮小静止画情報（別の静止画情報）を生成することができる。これにより、表示部４０に静止画を表示することができる。
【００４１】
さらに、図４のステップＳ３８のように、第２画像処理部２０は縮小静止画情報を第１画像処理部１０に出力する。図４のステップＳ１７およびＳ２０のように、第１画像処理部１０は、動画情報および縮小静止画情報を表示部４０に出力する。図４のステップＳ９１およびＳ９２のように、表示部４０は、画像情報に応じた動画および静止画を表示する。このように、動画情報を周期的に表示部４０に出力している第１画像処理部１０に、一旦縮小静止画情報を集約し、第１画像処理部１０が動画情報と縮小静止画情報との表示部４０への出力を制御する。これにより、表示部４０への動画情報と静止画情報との出力を効率的に行なうことができる。なお、第１画像処理部１０が第２画像処理部２０に動画情報を出力し、第２画像処理部２０が動画情報および縮小画情報を表示部４０に出力してもよい。
【００４２】
さらに、第２画像処理部２０は、トリガ情報が入力された場合に起動し、その後シャットダウンする。これにより、第２画像処理部２０の消費電力を低減させることができる。
【実施例２】
【００４３】
実施例２は、撮像部が通常は動画で用いる画素数の画像情報を出力し、トリガ情報が入力した場合静止画で用いる画素数の画像情報を出力する例である。撮像装置の構成は図１、図２および図３と同じであり説明を省略する。
【００４４】
図７は、トリガ出力部５４、撮像部５０、並替部５２、第１画像処理部１０、第２画像処理部２０、記憶媒体３２および表示部４０の動作を時間に対し示す図である。図７を参照し、動画撮影期間において、撮像部５０は周期的に撮像および画像情報の出力を行なっている。トリガ情報が入力しない場合、撮像部５０は、動画で用いる画素数の画像情報Ｄ２を出力する（ステップＳ６４）。例えば１０８０×１９６０画素の画像情報を出力する。一方、トリガ情報が入力した場合、撮像部５０は、静止画で用いる画素数の画像情報Ｄ１を出力する（ステップＳ６２）。例えば３０００×４０００画素の画像情報を出力する。このように、撮像部５０は、通常は動画用の画素サイズの画像情報を出力する（ステップＳ６４）が、トリガ情報が入力した直後は静止画用の画素サイズの画像情報を出力する（ステップＳ６２）。
【００４５】
トリガ情報が入力しない場合、第１画像処理部１０は、画像情報を縮小せず、画像処理を行なう（ステップＳ１４）。一方、トリガ情報が入力した場合、第１画像処理部１０は、画像情報を動画で用いる画素数の画像情報に縮小する（ステップＳ１２）。例えば１０８０×１９６０画素の画像情報に縮小する。その他のステップは実施例１の図４と同じであり説明を省略する。
【００４６】
図８は、撮像部５０の処理を示すフローチャートである。図８のように、撮像部５０は、トリガ情報が入力したか判断する（ステップＳ６０）。Ｙｅｓの場合、撮像部５０は、静止画で用いる画素数の画像情報Ｄ１を出力する（ステップＳ６２）。Ｎｏの場合、撮像部５０は、動画で用いる画素数の画像情報Ｄ２を出力する（ステップＳ６４）。例えば１０８０×１９６０画素の画像情報を出力する。その他のステップは実施例１の図５と同じであり説明を省略する。
【００４７】
図９は、第１画像処理部１０の処理を示すフローチャートである。図９のように、第１画像処理部１０は、ステップＳ１０の後、トリガ情報が入力したか判断する（ステップＳ５０）。Ｙｅｓの場合、第１画像処理部１０は、画像情報を動画で用いる画素数の画像情報に縮小する（ステップＳ１２）。その後、ステップＳ１４の画像処理に進む。ステップＳ５０においてＮｏの場合、第１画像処理部１０は、画像情報を縮小せずステップＳ１４の画像処理に進む。その他のステップは実施例１の図６と同じであり説明を省略する。
【００４８】
実施例２によればトリガ情報が入力された場合、図７のステップＳ６２のように、撮像部５０は、トリガ情報が入力される前に出力する画像情報Ｄ２（動画用の画素数の画像情報）より画素数の多い画像情報Ｄ１（静止動画用の画素数の画像情報）を出力する。図７のステップＳ１２およびＳ１４のように、第１画像処理部１０は、画像情報Ｄ２を縮小し画像処理する。図７のステップＳ３６のように、第２画像処理部２０は、画素数の多い画像情報Ｄ１を縮小せず画像処理する。一方、トリガ情報が入力されない場合、図７のステップＳ６４のように、撮像部５０は、画素数が画像情報Ｄ１より小さい画像情報Ｄ２を出力する。図７のステップＳ１４のように、第１画像処理部１０は、画素数の多い画像情報Ｄ１を縮小せず画像処理する。これにより、動画の画像の画素数が静止画の画像の画素数より小さい場合も撮像部５０の静止画と動画との共用が可能となる。
【実施例３】
【００４９】
実施例３は、記憶媒体への動画情報の記憶が完了した後に記憶媒体に静止画情報が記憶される例である。撮像装置の構成は図１、図２および図３と同じであり説明を省略する。図１０は、第１画像処理部１０、第２画像処理部２０および記憶媒体３２の動作を時間に対し示す図である。図１０のように、第１画像処理部１０は、動画情報を撮像周期で記憶媒体３２に出力する（ステップＳ１６）。第２画像処理部２０は、第１画像処理部１０に静止画情報を出力する（ステップＳ４０）。第１画像処理部１０は、第２画像処理部２０から取得した静止画情報をメモリ４２に記憶する（ステップＳ２５）。記憶媒体３２に動画情報の記憶が完了した後、第１画像処理部１０は、メモリ４２から静止画情報を取得し（ステップＳ８６）、記憶媒体３２に出力する（ステップＳ８７）。記憶媒体３２には、静止画情報が記憶される（ステップＳ９０）。その他の動作は実施例１と同じであり説明を省略する。
【００５０】
実施例３によれば、図１０のステップＳ９０のように、記憶媒体３２には、動画情報の記憶が終了した後、静止画情報が記憶される。これにより、例えば、図１０のように、記憶媒体３２が動画情報を動画撮影期間中に連続して記憶している場合にも、静止画情報を記憶媒体３２に記憶させることができる。
【実施例４】
【００５１】
実施例４は、撮像装置が２つの記憶媒体を装着可能な例である。図１１は、実施例４に係る撮像装置の概略ブロック図である。図１１のように、撮像装置１００ａは、第１記憶媒体３２を装着する第１装着部３０と、第２記憶媒体３６を装着する第２装着部３４とを備えている。第１記憶媒体３２は、第１画像処理部１０に接続され、主に第１画像処理部１０が生成した動画情報を記憶する。第２記憶媒体６２は、第２画像処理部２０に接続され、主に第２画像処理部２０が生成した静止画情報を記憶する。その他の構成は実施例１と同じであり説明を省略する。
【００５２】
図１２は、第１画像処理部１０、第２画像処理部２０、第１記憶媒体３２および第２記憶媒体３６の動作を時間に対し示す図である。図１２のように、第１画像処理部１０は、画像情報を縮小する（ステップＳ１２）。第１画像処理部１０は、画像情報を画像処理して動画情報を生成する（ステップＳ１４）。第１画像処理部１０は、生成した動画情報を撮像周期で記憶媒体３２に出力する（ステップＳ１６）。第１記憶媒体３２には、動画情報が記憶される（ステップＳ８８）。一方、第２画像処理部２０は、画像情報を画像処理して静止画情報を生成する（ステップＳ３６）。第２画像処理部２０は生成した静止画情報を第２記憶媒体３６に静止画情報を出力する（ステップＳ９４）。第２記憶媒体３６には、静止画情報が記憶される（ステップＳ９０）。その他の動作は実施例１と同じであり説明を省略する。
【００５３】
実施例４のように、第１記憶媒体３２および第２記憶媒体３６がそれぞれ動画情報および静止画情報を記憶することもできる。
【実施例５】
【００５４】
実施例５は、第１画像処理部および第２画像処理部がそれぞれ動画情報および静止画情報を記憶媒体に出力する例である。図１３は、実施例５に係る撮像装置の概略ブロック図である。図１３のように、撮像装置１００ｂにおいては、第１画像処理部１０および第２画像処理部２０がそれぞれ独立に動画情報および静止画情報を装着部３０を介し記憶媒体３２に出力可能である。その他の構成は実施例１と同じであり説明を省略する。
【００５５】
図１４は、第１画像処理部１０、第２画像処理部２０および記憶媒体３２の動作を時間に対し示す図である。図１４のように、第２画像処理部２０は、生成した静止画情報を、第１画像処理部１０を介さず直接、記憶媒体３２に出力する（ステップＳ９８）。記憶媒体３２に動画情報が記憶されている期間の間に静止画情報が記憶されきれない場合、第２画像処理部２０は、メモリ４４に残りの静止画情報を記憶する。その後、メモリ４４から残りの静止画情報を取得する（ステップＳ９７）。第２画像処理部２０は、記憶媒体３２に動画情報の記憶の実行がされていない期間に、静止画情報を記憶媒体３２に記憶させる（ステップＳ９８）。その他の動作は実施例１と同じであり説明を省略する。第１画像処理部１０と第２画像処理部２０とは、動画情報および静止画情報の記憶媒体３２への出力の状況および記憶媒体３２での動画情報および静止画情報の書き込み状況に関する情報を共有している。よって、第１画像処理部１０および第２画像処理部２０は、記憶媒体３２において動画情報および静止画情報が書き込みしている期間以外に、それぞれ動画情報および静止画情報を記憶媒体３２に出力することができる。
【００５６】
第１画像処理部１０および第２画像処理部２０は、それぞれ動画の画像処理および静止画の画像処理のみを行なう画像処理部でなくともよい。例えば、静止画を連写する際に、第１画像処理部１０と第２画像処理部２０とが交互に静止画を画像処理してもよい。また、第１画像処理部１０が静止画の画像処理を行い、第２画像処理部２０が動画の画像処理を行ってもよい。さらに、第１画像処理部１０および第２画像処理部２０がともに動画の画像処理を行ってもよい。
【００５７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５８】
１０        第１画像処理部
２０        第２画像処理部
３０        装着部
３２        記憶媒体
３４        第２装着部
３６        第２記憶媒体
４０        表示部
５０        撮像部
５４        トリガ出力部
【図１】
2010199927.tif 000003
【図２】
2010199927.tif 000004
【図３】
2010199927.tif 000005
【図４】
2010199927.tif 000006
【図５】
2010199927.tif 000007
【図６】
2010199927.tif 000008
【図７】
2010199927.tif 000009
【図８】
2010199927.tif 000010
【図９】
2010199927.tif 000011
【図１０】
2010199927.tif 000012
【図１１】
2010199927.tif 000013
【図１２】
2010199927.tif 000014
【図１３】
2010199927.tif 000015
【図１４】
2010199927.tif 000016